(57)【要約】【課題】入力信号又はＡＭ信号を処理する信号処理回路及びＡＭ受信回路に関し、適切な素子を選択することより効果的にゲインコントロールが行える信号処理回路及びＡＭ受信回路を提供することを目的とする。【解決手段】本発明は、入力信号を処理する信号処理回路において、第１の端子に供給される信号を増幅する内蔵アンプと、第２の端子に供給される信号を処理する処理回路と、内蔵アンプの出力信号又は処理回路に供給される信号に応じて処理回路に供給される信号のゲインをコントロールするゲインコントロール回路とが内蔵されたＡＭチューナＩＣと、ＡＭチューナＩＣのゲインコントロール回路で生成されるコントロール信号に応じて入力信号のゲインをコントロールする外付け回路とを有し、外付けアンプの出力信号をＡＭチューナＩＣの第１の端子及び／又は第２の端子に供給することを特徴とする。【選択図】図１
2008035267.tif 000002
【特許請求の範囲】
【請求項１】
入力信号を処理する信号処理回路において、
第１の端子に供給される信号を増幅する内蔵アンプと、
第２の端子に供給される信号を処理する処理回路と、
前記内蔵アンプの出力信号又は前記処理回路に供給される信号に応じて前記処理回路に供給される信号のゲインをコントロールするゲインコントロール回路とが内蔵されたＩＣと、
前記ＩＣの前記ゲインコントロール回路で生成されるコントロール信号に応じて前記入力信号のゲインをコントロールする外付け回路とを有し、
前記外付け回路でゲインコントロールされた信号を前記ＩＣの前記第１の端子及び／又は前記第２の端子に供給することを特徴とする信号処理回路。
【請求項２】
前記外付け回路は、入力信号を増幅して前記第１の端子及び／又は前記第２の端子に供給する外付けアンプと、
前記ＩＣの前記ゲインコントロール回路に接続されるデカップリングコンデンサの両端の電圧を検出し、検出電圧に応じて前記外付けアンプのゲインを制御する制御回路とを有することを特徴とする請求項１記載の信号処理回路。
【請求項３】
前記ゲインコントロール回路は、前記内蔵アンプのゲインをコントロールする第１のコントロール信号と、前記第１のコントロール信号と協働してゲインをコントロールする第２のコントロール信号を生成し、前記第２のコントロール信号を前記ＩＣの第３の端子から出力しており、
前記ＩＣの前記第３の端子に接続され、前記第２のコントロール信号に応じて前記入力信号のゲインを制御するアッテネータ回路を有することを特徴とする請求項１記載の信号処理回路。
【請求項４】
ＡＭ信号を処理するＡＭ受信回路において、
第１の端子に供給されるＡＭ信号を増幅する内蔵アンプと、第２の端子に供給されるＡＭ信号を処理する処理回路と、前記内蔵アンプの出力信号又は前記処理回路に供給される信号に応じて前記処理回路に供給される信号のゲインをコントロールするゲインコントロール回路とが内蔵されたＡＭチューナＩＣと、
前記ＡＭチューナＩＣの前記ゲインコントロール回路で生成されるコントロール信号に応じて前記ＡＭ信号のゲインをコントロールする外付け回路とを有し、
前記外付けアンプの出力信号を前記ＡＭチューナＩＣの前記第１の端子及び/又は前記第２の端子に供給することを特徴とするＡＭ受信回路。
【発明の詳細な説明】
【技術分野】
【０００１】
本発明は信号処理回路及びＡＭ受信回路に係り、特に、入力信号又はＡＭ信号を処理する信号処理回路及びＡＭ受信回路に関する。
【背景技術】
【０００２】
ＡＭチューナなどのＡＭ受信回路には一般的にアンテナ入力信号を増幅するＲＦアンプの増幅度を制御するＲＦ−ＡＧＣ回路が設けられている（例えば、特許文献１参照）。このＲＦ−ＡＧＣ回路は、アンテナ入力レベルが設定レベルを超えるとオンして過大な入力レベルを設定レベルに制限する回路である。
【０００３】
図６は従来のＡＭ受信回路の一例のブロック構成図を示す。
【０００４】
ＡＭ受信回路１では、主に、アンテナ１１、バンドパスフィルタ１２、１４、ＡＭチューナＩＣ１３、アッテネータ１５、ＩＦフィルタ１６から構成されている。
【０００５】
アンテナ１１に入力されたＲＦ信号は、バンドパスフィルタ１２を通過し、ＡＭチューナＩＣ１３の端子Ｔ1に供給される。ＡＭチューナＩＣ１３は、１チップの半導体集積回路であり、内蔵アンプ２１、自動ゲインコントロール回路２２、ミキサ２３、ＩＦアンプ２４が内蔵されている。
【０００６】
内蔵アンプ２１には、端子Ｔ1からＲＦ信号が供給される。内蔵アンプ２１は、自動ゲインコントロール回路２２からのゲインコントロール信号に応じてゲインがコントロールされており、ゲインコントロール信号に応じたゲインでＲＦ信号を増幅する。
【０００７】
内蔵アンプ２１で増幅されたＲＦ信号は、端子Ｔ2より出力される。ＡＭチューナＩＣ１３の端子Ｔ2から出力されたＲＦ信号は、バンドパスフィルタ１４に供給される。
【０００８】
バンドバスフィルタ１４を通過したＲＦ信号は、ＡＭチューナＩＣ１３の端子Ｔ6に供給される。ＡＭチューナＩＣ１３の端子Ｔ6に供給されたＲＦ信号は内部でミキサ２３に供給される。ミキサ２３は、端子Ｔ6に供給されたＲＦ信号をＩＦ信号に変換する。ミキサ２３で変換されたＩＦ信号は、端子Ｔ8に供給される。
【０００９】
ＩＦフィルタ１６は、端子Ｔ8と端子Ｔ9との間に接続されている。ＩＦフィルタ１６は、端子Ｔ8に供給されるＩＦ信号から不要成分を除去して、端子Ｔ9に供給する。端子Ｔ9に供給されたＩＦ信号は、ＩＦアンプ２４に供給される。ＩＦアンプ２４は、ＩＦ信号を増幅して、端子Ｔ7から出力する。
【００１０】
なお、ＡＭチューナＩＣ１３の自動ゲインコントロール回路２３が接続される端子Ｔ3と端子Ｔ4との間にはデカップリングコンデンサＣが接続されている。また、ＡＭチューナＩＣ１３の端子Ｔ5には、アッテネータ１５が接続されている。アッテネータ１５は、ＰＩＮダイオードから構成されており、バンドパスフィルタ１２とＲＦアンプ１１１との間に接続される。アッテネータ１５は、ＡＭチューナＩＣ１３の端子Ｔ5から出力される第２のゲインコントロール信号によりバンドパスフィルタ１２の出力信号を減衰させることによって、ＡＧＣ制御を行っている。このとき、アッテネータ１５によるＡＧＣ制御範囲は、ＡＭチューナＩＣ１３の内蔵アンプ２１によるＡＧＣ制御範囲より高い信号入力レベルで制御が行われるように設定されている。このように、ＡＭ受信回路１では、ＡＭチューナＩＣ１３の内蔵アンプ２１、及び、外付けのアッテネータ１５とで協働して、過大入力に対するＡＧＣコントロールが行われていた。
【特許文献１】実開平６−８１１４９号公報
【発明の開示】
【発明が解決しようとする課題】
【００１１】
しかるに、近年ＡＭチューナ回路はＩＣ化されており、アンプ、ＡＧＣ制御回路も内蔵されている。このため、歪み特性などの限界がＡＭチューナＩＣの内蔵アンプの特性に起因するものであっても内蔵アンプであるため、これを克服することはできず、歪み特性に効果的なゲインコントロールが困難であった。
【００１２】
本発明は上記の点に鑑みてなされたもので、適切な素子を選択することより歪み特性に効果的にゲインコントロールが行える信号処理回路及びＡＭ受信回路を提供することを目的とする。
【課題を解決するための手段】
【００１３】
本発明は、入力信号を処理する信号処理回路において、第１の端子（Ｔ1）に供給される信号を増幅する内蔵アンプ（２１）と、第２の端子（Ｔ6）に供給される信号を処理する処理回路（２３、２４）と、内蔵アンプ（２１）の出力信号又は処理回路（１６、２３、２４）に供給される信号に応じて処理回路（１６、２３、２４）に供給される信号のゲインをコントロールするゲインコントロール回路（２２）とが内蔵されたＩＣ（１３、２１１）と、ＩＣ（１３、２１１）のゲインコントロール回路（２２）で生成されるコントロール信号に応じて入力信号のゲインをコントロールする外付け回路（１１１、１１２）とを有し、外付け回路（１１１、１１２）の出力信号をＩＣの第１の端子（Ｔ1）及び／又は第２の端子（Ｔ2）に供給することを特徴とする。
【００１４】
外付け回路（１１１、１１２）は、入力信号を増幅して第１の端子（Ｔ1）及び／又は第２の端子（Ｔ2）に供給する外付けアンプ（１１１）と、ＩＣ（１３、２１１）のゲインコントロール回路（２２）に接続されるデカップリングコンデンサ（Ｃ）の両端の電圧を検出し、検出電圧に応じて外付けアンプ（１１１）のゲインを制御する制御回路（１１２）とを有することを特徴とする。
【００１５】
ゲインコントロール回路（２２）は、内蔵アンプ（２１）のゲインをコントロールする第１のコントロール信号と、第１のコントロール信号と協働してゲインをコントロールする第２のコントロール信号を生成し、第２のコントロール信号をＩＣ（１３、２１１）の第３の端子（Ｔ5）から出力しており、ＩＣ（１３、２１１）の第３の端子（Ｔ5）に接続され、第２のコントロール信号に応じて入力信号のゲインを制御するアッテネータ回路（１５）を有することを特徴とする。
【００１６】
また、本発明は、ＡＭ信号を処理するＡＭ受信回路において、第１の端子（Ｔ1）に供給されるＡＭ信号を増幅する内蔵アンプ（２１）と、第２の端子（Ｔ6）に供給されるＡＭ信号を処理する処理回路（１６、２３、２４）と、内蔵アンプ（２１）の出力信号又は処理回路（２３、２４）に供給される信号に応じて処理回路（１６、２３、２４）に供給される信号のゲインをコントロールするゲインコントロール回路（２２）とが内蔵されたＡＭチューナＩＣ（１３、２１１）と、ＡＭチューナＩＣ（１３、２１１）のゲインコントロール回路で生成されるコントロール信号に応じてＡＭ信号のゲインをコントロールする外付け回路（１１１、１１２）とを有し、外付け回路（１１１、１１２）の出力信号をＡＭチューナＩＣ（１３、２１１）の第１の端子（Ｔ1）及び第２の端子（Ｔ6）に供給することを特徴とする。
【００１７】
なお、上記参照符号は、あくまでも参考であり、これによって特許請求の範囲が限定されるものではない。
【発明の効果】
【００１８】
本発明によれば、ＡＧＣコントロールを行う回路を外付け回路とすることができるため、高周波信号に対して歪みの少ない素子を選択して、高周波信号のゲインをコントロールでき、よって、効果的にゲインコントロールを行うことができる。
【発明を実施するための最良の形態】
【００１９】
図１は本発明の一実施例のブロック構成図を示す。同図中、図６と同一構成部分には同一符号を付し、その説明は省略する。
【００２０】
本実施例の信号処理回路１００は、ＡＭラジオ放送受信回路のフロントエンド回路であり、アンテナ１１から供給されるＡＭ信号から所望の周波数の信号を選局する処理を行う。
【００２１】
信号処理回路１００は、バンドパスフィルタ１２を通過した信号をＲＦアンプ１１１及びバンドパスフィルタ１４を介してＡＭチューナＩＣ１３の端子Ｔ1、及び、端子Ｔ6に供給する構成とされている。
【００２２】
ＲＦアンプ１１１は、電圧コンバータ１１２から供給される制御信号に応じてゲインがコントロールされる。電圧コンバータ１１２は、ＡＭチューナＩＣ１３の端子Ｔ3、Ｔ4間に発生するゲインコントロール信号に応じた電圧を検出し、ＲＦアンプ１１１のゲインをコントロールする。
【００２３】
図２は本発明の一実施例の要部の回路構成図である。
【００２４】
ＲＦアンプ１１１は、ＡＭチューナＩＣ１３の外付け回路であり、ＮＰＮトランジスタＱ11、接合型電界効果トランジスタＭ11、抵抗Ｒ11から構成されている。
【００２５】
ＮＰＮトランジスタＱ11と接合型電界効果トランジスタＭ11とは、バンドパスフィルタ１４と接地との間にカスケード接続されており、接合型電界効果トランジスタＭ11のゲートにバンドパスフィルタ１２を通過した信号が供給され、ＮＰＮトランジスタＱ11のベースに抵抗Ｒ11を介して電圧コンバータ１１２が接続されている。
【００２６】
電圧コンバータ１１２は、ＡＭチューナＩＣ１３の外付け回路であり、例えば、差動増幅回路ＯＰ11から構成されている。差動増幅回路ＯＰ11は非反転入力端子がＡＭチューナＩＣ１３の端子Ｔ3に接続され、反転入力端子がＡＭチューナＩＣ１３の端子Ｔ4に接続されている。差動増幅回路ＯＰ11は、端子Ｔ3の電圧と端子Ｔ4の電圧との差に応じた制御信号を出力する。この制御信号がＲＦアンプ１１１に供給される。
【００２７】
図３はアンテナ入力信号に対する端子Ｔ3と端子Ｔ4の電圧変化を示す図であり、横軸がアンテナ入力信号、縦軸が端子Ｔ3、Ｔ4の電圧を示している。
【００２８】
図３に示すようにアンテナ入力信号レベルが約９０〜１０５ｄＢμＶで、大きくなるにしたがって、端子Ｔ3の電圧と端子Ｔ4の電圧との差電圧が小さくなることがわかる。
【００２９】
端子Ｔ3の電圧と端子Ｔ4との差電圧が小さくなることにより、差動増幅回路ＯＰ11の出力電圧が小さくなる。差動増幅回路ＯＰ11の出力電圧が小さくなることによりＮＰＮトランジスタＱ11のベース電流が小さくなり、これによって接合型電界効果トランジスタＭ11のドレイン電流が減少することにより、ＲＦアンプ１１１のゲインが低減する。
【００３０】
バンドパスフィルタ１４は、ＲＦアンプ１１１からの信号からＡＭ帯域の周波数の信号を通過させる。バンドパスフィルタ１１２を通過した信号は、端子Ｔ6に供給される。
【００３１】
これによってアンテナ１１からＡＭチューナＩＣ１３に供給される信号の自動ゲインを制御できる。
【００３２】
図４はアンテナ入力信号に対する出力信号レベルの特性図を示す。図４は２倍高調波発生レベルの歪み特性であり、１２８０ｋＨｚに同調させておき６４０ｋＨｚの信号を入力した場合の特性である。
【００３３】
同図中、□はＡＭチューナＩＣ１３の内蔵アンプによるＡＧＣと、アッテネータ１５でＡＧＣを行った場合、△はＡＭチューナＩＣ１３の外付けのＲＦアンプ１１１によるＡＧＣを行わず、アッテネータ１５のみでＡＧＣを行った場合、○は本実施例のＡＭチューナＩＣ１３の外付けのＲＦアンプ１１１を使用し、ＡＭチューナＩＣ１３に内蔵された自動ゲインコントロール回路２３によるＡＧＣと、アッテネータ１５でＡＧＣを行った場合の特性を示す。
【００３４】
図４に△で示す従来の構成の特性では、内蔵アンプ２１のＡＧＣ動作がスタートする１００ｄＢｕＶ入力で、歪みは若干減少するが、その後、内蔵アンプ２１のＡＧＣが動作している１１０ｄＢｕＶ入力程度まで歪みは増加する。更に、その後、１１０ｄＢｕＶ入力以上では、外付けのアッテネータ１５によるＡＧＣが動作するため、歪みの増加は抑制される。
【００３５】
図４に□で示す特性では、アッテネータ１５によるＡＧＣが開始される９９ｄＢｕＶ程度以上では、歪みの増加は抑制される。
【００３６】
図４に○で示す本実施例の特性では、外付けＲＦアンプ１１１のＡＧＣ動作範囲である９５〜１０２ｄＢｕＶ入力範囲で歪みが大幅に抑制され、１０１ｄＢｕＶ程度以上ではアッテネータ１５によるＡＧＣ制御が開始され、歪みの増加は抑制される。
【００３７】
このように、本実施例では、外付けＲＦアンプ１１１を用いることにより、歪み特性に優れた素子を選択してゲインコントロールを行うことができるため、外付けＲＦアンプ１１１によるＡＧＣ制御範囲での歪みを大幅に低減できる。
【００３８】
本実施例によれば、ＡＭチューナＩＣ１３に内蔵された自動ゲインコントロール回路２３を用いてＡＭチューナＩＣ１３の外付け回路として設けられたＲＦアンプ１１１のゲインを電圧コンバータ１１２により制御することにより、ディスクリートの電子部品を用いることができ、よって、ＡＭ−ＲＦアンプ用に設計された、優れた歪み特性を持つ素子を用いることができるため、内蔵アンプ２１を用いた場合に比べて歪みを増加させることなく、信号のゲインをコントロールすることができる。
【００３９】
図５は本発明の一実施例の変形例のブロック構成図を示す。同図中、図１と同一構成部分には同一符号を付し、その説明は省略する。
【００４０】
本変形例の信号処理回路２００は、ＡＭチューナＩＣ２１１の構成が図１とは相違している。本変形例のＡＭチューナＩＣ２１１は、自動ゲイン制御回路２２の入力が図１とは異なっている。本変形例の自動ゲイン制御回路２２は、入力が端子Ｔ2のＲＦアンプ２１の出力ではなく、端子Ｔ6に供給される信号とされている。
【００４１】
なお、本発明は上記実施例に限定されるものではなく、本発明の要旨を逸脱しない範囲において種々の変形例が考えられることは言うまでもない。
【図面の簡単な説明】
【００４２】
【図１】本発明の一実施例のブロック構成図である。
【図２】本発明の一実施例の要部の回路構成図である。
【図３】アンテナ入力信号に対する端子Ｔ3と端子Ｔ4の電圧変化を示す図である。
【図４】アンテナ入力信号に対する出力信号レベルの特性図である。
【図５】本発明の一実施例の変形例のブロック構成図である。
【図６】従来のＡＭ受信回路の一例のブロック構成図である。
【符号の説明】
【００４３】
１１  アンテナ、１２、１４  バンドパスフィルタ、１３、２１１  ＡＭチューナＩＣ
１５  アッテネータ回路
２１  内蔵アンプ、２２  自動ゲインコントロール回路、２３  ミキサー
２４  処理回路
Ｃ  デカップリングコンデンサ
１００、２００  信号処理回路
１１１  ＲＦアンプ、１１２  電圧コンバータ
【図１】
2008035267.tif 000003
【図２】
2008035267.tif 000004
【図３】
2008035267.tif 000005
【図４】
2008035267.tif 000006
【図５】
2008035267.tif 000007
【図６】
2008035267.tif 000008